(57)【特許請求の範囲】
【請求項１】
河川や水路に設置される起伏式ゲート装置において、
起伏式ゲート装置を構成する扉体の上流側には、上流側から交換が可能なように扉体の回転軸部に設置される主底部水密部材と、扉体側部に設置される主側部水密部材が設置され、
少なくとも前記主底部水密部材と主側部水密部材の交換時には、下流側から着脱が可能な副底部水密部材と副側部水密部材を、前記主底部水密部材と主側部水密部材の下流側に設置可能なように構成したことを特徴とする起伏式ゲート装置。
【請求項２】
請求項１に記載の起伏式ゲート装置の主水密部材を交換する方法であって、
前記副底部水密部材と副側部水密部材を、前記主底部水密部材と主側部水密部材の下流側に設置した状態で、前記主底部水密部材と主側部水密部材を交換することを特徴とする起伏式ゲート装置の主水密部材交換方法。
【発明の詳細な説明】
【技術分野】
【０００１】
本発明は、たとえば河川に設置され、農業用水などの取水のために用いられる起伏式ゲート装置、及びこの起伏式ゲート装置の主水密部材を交換する方法に関するものである。
【背景技術】
【０００２】
たとえば起伏式ゲート装置には、逆流や漏水を防止するため、特許文献１に開示されているように、扉体の回転軸部や側部に水密部材が設けられている。図５は起伏式ゲート装置の水密部材近傍の拡大図で、（ａ）は扉体１の回転軸部１ａに設置された水密部材２ａを、（ｂ）は（ａ）図のＢ−Ｂ断面図、（ｃ）は（ａ）図のＣ−Ｃ断面図で、それぞれ回転軸部と側部に設置された水密部材２ｂ，２ｃを示している。
【特許文献１】特開平１１−１１７２７１号公報
【０００３】
また、ローラゲートでは、特許文献２に開示されているように、扉体と水密壁の間に水密部材が設けられている。図６はローラゲートの扉体３に設置された水密部材４近傍の拡大図で、（ａ）は平面から見た図、（ｂ）は水密部材４の拡大図である。
【特許文献２】特許第３４８４６５４号公報
【０００４】
上述したようなゲート装置の水密部材は、使用によって摩耗し、また経年劣化が起こるので、定期的に交換する必要がある。
【発明の開示】
【発明が解決しようとする課題】
【０００５】
しかしながら、交換に際し、前記水密部材が水没している状態では、水密部材を取り外すと上流側から下流側に水流が発生する。したがって、扉体が水没した状態で水密部材を交換するのは危険であり、別途メンテナンス用の仮設ゲートを設置して水密部材の交換を行っているが、このような交換作業では、期間的にも、コスト的にも問題がある。
【０００６】
本発明が解決しようとする問題点は、従来のゲート装置では、水密部材を交換するに際し、危険を伴うので、別途メンテナンス用の仮設ゲートを設置しなければならなかったという点である。
【課題を解決するための手段】
【０００７】
本発明の起伏式ゲート装置は、
別途メンテナンス用の仮設ゲートを設置することなく、安全に水密部材の交換を行えるようにするために、
河川や水路に設置される起伏式ゲート装置において、
起伏式ゲート装置を構成する扉体の上流側には、上流側から交換が可能なように扉体の回転軸部に設置される主底部水密部材と、扉体側部に設置される主側部水密部材が設置され、
少なくとも前記主底部水密部材と主側部水密部材の交換時には、下流側から着脱が可能な副底部水密部材と副側部水密部材を、前記主底部水密部材と主側部水密部材の下流側に設置可能なように構成したことを最も主要な特徴としている。
【０００９】
前記本発明の起伏式ゲート装置において、「少なくとも前記主底部水密部材と主側部水密部材の交換時には」とは、主底部水密部材と主側部水密部材の交換時に副底部水密部材と副側部水密部材が設置可能なように構成されていれば良く、主底部水密部材と主側部水密部材の交換時以外の場合には、必ずしも副底部水密部材と副側部水密部材が設置されていなくても良いことを意味する。
【００１０】
前記本発明の起伏式ゲート装置の主水密部材を交換する場合は、
前記副底部水密部材と副側部水密部材を、前記主底部水密部材と主側部水密部材の下流側に設置した状態で、前記主底部水密部材と主側部水密部材を交換すれば良い。これが、本発明の起伏式ゲート装置の主水密部材交換方法である。
【００１１】
本発明の起伏式ゲート装置の主水密部材交換方法において、「設置した状態で」とは、主底部水密部材と主側部水密部材の交換時に副底部水密部材と副側部水密部材が設置されていれば良く、主底部水密部材と主側部水密部材の交換時以外の場合には、必ずしも副底部水密部材と副側部水密部材が設置されていなくても良いことを意味する。
【発明の効果】
【００１２】
本発明では、副底部水密部材と副側部水密部材によって水密が保たれるので、主底部水密部材と主側部水密部材を取り外しても水流が発生せず、水中での主底部水密部材と主側部水密部材の交換作業が、危険を伴わずに行えるようになる。したがって、メンテナンス用の仮設ゲートを設置しなくても良くなり、主底部水密部材と主側部水密部材の交換に要する期間やコストを低減できる。
【発明を実施するための最良の形態】
【００１３】
以下、本発明を実施するための最良の形態を図１及び図２を用いて詳細に説明する。
図１及び図２は本発明の例を説明する概略図である。
【００１４】
図１及び図２は本発明の起伏式ゲート装置を示した図で、１１は自身を浮上させるだけの浮力を有する扉体である。この扉体１１に浮力を備えさせるための構成は特に限定されないが、たとえばパイプと板材で扉体１１を形成することで、パイプ部で浮力を得るようにしたものなどが採用される。
【００１５】
前記扉体１１は、基端側の回転軸部１１ａを、たとえば港内の底部に設けた基台Ｂに、滑り軸受やローラ軸受などの軸受によって回転自在に枢支することで、前記回転軸部１１ａを支点として扉体１１の先端側が起伏するようになっている。
【００１６】
また、起伏式ゲート装置は、油圧シリンダにて強制的に起伏させる形態であっても良い。
【００１７】
ところで、前記のような起伏式ゲート装置では、逆流や漏水を防止するために、扉体１１の回転軸部１１ａや側部１１ｂに水密部材が設けられている。
【００１８】
この水密部材を、本発明では、回転軸部１１ａと側部１１ｂのそれぞれについて、上流側と下流側の２箇所に設置可能な構成としている。
そして、このうちの上流側に設置する主底部水密部材１２ａと主側部水密部材１３ａに、従来の底部水密部材、側部水密部材と同様の働きを担わせている。したがって、これらの主底部水密部材１２ａと主側部水密部材１３ａは、従来の底部水密部材、側部水密部材と同様の、水密性が高いたとえばゴムが用いられる。
【００１９】
但し、本発明では、これらの主底部水密部材１２ａと主側部水密部材１３ａは、少なくともこれらの交換時には、下流側にも後述する水密部材を設置する関係で、それぞれ上流側から交換が可能なように設置される。
【００２０】
１２ｂは副底部水密部材、１３ｂは副側部水密部材である。これらは、前記の主底部水密部材１２ａ、主側部水密部材１３ａの交換時に、上流側から下流側に向けて水流が発生するのを防止し、前記交換作業を安全に行うために、前記の主底部水密部材１２ａと主側部水密部材１３ａの下流側にそれぞれ設置される。
【００２１】
したがって、これらの副底部水密部材１２ｂ、副側部水密部材１３ｂは、下流側から着脱できるように構成されている。また、これらの副底部水密部材１２ｂ、副側部水密部材１３ｂは、前記交換作業を安全に行えれば、完全な水密状態でなくても良いので、水密性は高くなくても良く、ゴムのほかに樹脂、金属などを使用することができる。
なお、図１中の１４は回転軸部１１ａの水密部材を示す。
【００２２】
上記構成の本発明の起伏式ゲート装置では、主底部水密部材１２ａ、主側部水密部材１３ａの交換時は、副底部水密部材１２ｂ、副側部水密部材１３ｂ、回転軸部１１ａの水密部材１４によって水密が保たれ（図２（ａ）の太線部分）、水流が発生しないので、上流側から主底部水密部材１２ａ、主側部水密部材１３ａを取り外して交換すれば良い。
【００２３】
なお、回転軸部１１ａの水密部材１４を交換する場合は、主底部水密部材１２ａ、主側部水密部材１３ａによって水密が保たれ（図２（ｂ）の太線部分）、水流が発生しないので、水密部材１４を取り外して交換すれば良い。
【００２４】
これらの副底部水密部材１２ｂ、副側部水密部材１３ｂは、図１に示したように、常時設置していなくても、主底部水密部材１２ａ、主側部水密部材１３ａの交換時にのみ、設置しても良い。この場合は、主底部水密部材１２ａ、主側部水密部材１３ａの交換に先立ち、副底部水密部材１２ｂと副側部水密部材１３ｂを下流側から設置することは言うまでもない。
【００２５】
本発明の起伏式ゲート装置の技術的思想は、図３に示したようなローラゲート装置にも適用できる。
この図３に示したようなローラゲート装置の場合、扉体２１の上流側と下流側の両縁部２１ａに、主水密部材２２ａと副水密部材２２ｂを、扉体２１の高さ方向に延長して設置する。
【００２６】
この場合も、上流側の主水密部材２２ａは上流側から、また下流側の副水密部材２２ｂは下流側から交換が可能なように設置する。また、主水密部材２２ａには、水密性が高いたとえばゴムが用いられること、副水密部材２２ｂは水密性が高くなくても良いので、ゴムのほかに樹脂、金属などを使用することができることも同様である。さらに、この副水密部材２２ｂは、常時設置していなくても、主水密部材２２ａの交換時にのみ、設置しても良いことも同様である。
ローラゲート装置の場合は、図３のように扉体２１の上流側と下流側の縁部２１ａでなくても、図４のように上流側或いは下流側の縁部２１ａの上流側と下流側に主水密部材２２ａと副水密部材２２ｂを設置しても良い。
【００２７】
本発明は、前記の例に限るものではなく、各請求項に記載の技術的思想の範囲内において、適宜実施の形態を変更しても良いことは言うまでもない。
【産業上の利用可能性】
【００２８】
本発明のゲート装置は、農業用水などの取水のために河川や水路に設置するだけでなく、津波や高潮対策として港湾に設置することも可能である。
【図面の簡単な説明】
【００２９】
【図１】起伏式ゲート装置に適用した本発明の例を説明する概略図で、（ａ）は底部水密部を説明するために側面から見た断面図、（ｂ）は側部水密部を説明するために（ａ）図の矢視Ｂ−Ｂ方向から見た断面図である。
【図２】水密部材交換時の水密ラインを示した図で、（ａ）は主底部水密部材と主側部水密部材を交換するときの水密ライン、（ｂ）は回転軸部水密部材を交換するときの水密ラインを示した図である。
【図３】本発明をローラゲート装置に適用した場合を説明する概略図で、（ａ）は平面から見た図、（ｂ）は上流側の縁部に設置する水密部の拡大説明図、（ｃ）は下流側の縁部に設置する水密部の拡大説明図である。
【図４】図３の他の例を説明する図である。
【図５】起伏式ゲート装置の水密部材近傍の拡大図で、（ａ）は扉体の回転軸部に設置された水密部材を、（ｂ）は（ａ）図のＢ−Ｂ断面図、（ｃ）は（ａ）図のＣ−Ｃ断面図を示した図である。
【図６】ローラゲートの扉体に設置された水密部材近傍の拡大図で、（ａ）は平面から見た図、（ｂ）は水密部材の拡大図である。
【符号の説明】
【００３０】
１１，２１    扉体
１１ａ    回転軸部
１１ｂ    側部
１２ａ    主底部水密部材
１２ｂ    副底部水密部材
１３ａ    主側部水密部材
１３ｂ    副側部水密部材
２１ａ    縁部
２２ａ    主水密部材
２２ｂ    副水密部材
【図１】
0004510750.tif 000002
【図２】
0004510750.tif 000003
【図３】
0004510750.tif 000004
【図４】
0004510750.tif 000005
【図５】
0004510750.tif 000006
【図６】
0004510750.tif 000007